(57)【要約】      （修正有）【課題】ディスクの選別種類を、簡単な構成で安価に、装置を大型化することなく増加できるディスク選別装置を得る。【解決手段】本体に一体的に形成され、かつ、ディスクが転がる通常ガイドレール１４０と、前記通常ガイドレールに対しほぼ直角をなす通常もたれガイドと、前記通常ガイドレールに対し所定距離離れて配置されたゲージ装置１５０と、前記ゲージ装置に配置され、ディスクのガイド位置と非ガイド位置に移動可能なキャンセル片と、前記キャンセル片の移動装置１７５を含むディスクの選別装置において、より小径のディスクを使用可能とする場合、前記通常ガイドレールに対し並行する小径用ガイドレール３００Ｃ、及び、前記小径用ガイドレールに対しほぼ直角をなす小径もたれガイドを有する小径用ガイドを前記ガイドレールにあてがって前記本体に着脱可能に取り付け、最小許容サイズより小径のディスクを前記ガイドレールから外れれた位置へ導く。【選択図】図５
2008077463.tif 000002
【特許請求の範囲】
【請求項１】
本体(120)に一体的に形成され、かつ、ディスク(D)が転がる通常ガイドレール(140)と、
前記通常ガイドレールに対しほぼ直角をなす通常もたれガイド(121C)と、
前記通常ガイドレールに対し所定距離離れて配置されたゲージ装置(150)と、
前記ゲージ装置に配置され、ディスクのガイド位置と非ガイド位置に移動可能なキャンセル片(180)と、
前記キャンセル片の移動装置(175)を含むディスクの選別装置において、
前記通常ガイドレールに対し並行する極小径ガイドレール(300C)、及び、前記極小径ガイドレールに対しほぼ直角をなす極小径もたれガイド(312)を有する極小径ガイド(300)を前記通常ガイドレールにあてがって前記本体に着脱可能に取り付けたことを特徴とするディスクの選別装置。
【請求項２】
請求項１のディスクの選別装置において、前記極小径ガイドレールが前記本体にワンタッチ着脱手段(141)により取り付けられていることを特徴とする。
【請求項３】
請求項１のディスクの選別装置において、前記ゲージ装置の下流にディスクセンサ(192)を配置し、前記極小径ガイドレールは前記ディスクセンサに相対する位置まで伸びていることを特徴とする。
【発明の詳細な説明】
【技術分野】
【０００１】
本発明は、硬貨、メダル等のディスクを機械的に真正ディスクと偽ディスクとに選別するディスクの選別装置に関する。
特に、パチスロ等のゲーム機に使用するディスクの選別装置の改良に関する。
さらには、小径ディスク用のディスクの選別装置に容易に変更できるディスクの選別装置に関する。
なお、本明細書で使用する「ディスク」は、通貨であるコイン、メダル、代用コイン及び、それらと類似のものを包含する。
【背景技術】
【０００２】
本出願人は、ディスクが転がるガイドレールと、取り付け装置によって、前記ガイドレールと所定距離離れて配置され、かつ、少なくとも前記ガイドレールとの距離が変更可能であるゲージ装置と、前記ゲージ装置の下流に位置し、かつ、ゲージ装置の移動に連動して前記ガイドレールとの距離が変更可能である前記ディスクの検知センサと、を含むディスクの選別装置を提案した(例えば、特許文献１参照)。
【０００３】
【特許文献１】特開２００４−１６３６６（図１−図１０、段落番号００１１―００９４）
【０００４】
この構成において、ディスクサイズが変更された場合、取り付け装置によってゲージ装置の位置をそのサイズに適合する位置に変更する。
ゲージ装置の位置を適切に設定することにより、ディスクの移動がスムースになる。
また、ゲージ装置の移動に連動し、検知センサはガイドレールに対する位置が変更される。
すなわち、ガイドレールと検知センサの間隔が変更される。
このゲージ装置と検知センサとの間隔を適宜設定することにより、ゲージ装置が移動されたとき、検知センサの位置決めが自動的に行われる。
換言すれば、本出願人が提案したディスクの選別装置は、ガイドレールとゲージ装置との間隔を変更可能な構造にすることにより、直径の異なるディスクを選別可能にしたものである。
例えば、大径ディスクの直径は30.8ミリであり、小径ディスクの直径は25ミリである。
しかし、さらに小径のディスク、例えばディスク直径が21ミリの極小径ディスクが使用可能な選別装置が要望されている。
このため、前記本出願人のディスク選別装置のゲージ装置の取り付け位置を四カ所にして対処することが可能である。
しかし、直径差が4ミリから5ミリの場合、四つの取り付け部を設けることは間隔が狭く困難である。
また、取り付け部を樹脂成形する場合、形状が複雑化し、金型が高価になるため俄に採用することができない。
さらに、ゲージ装置の取り付け部を四カ所にした場合、取り付け部が大型化するため、ディスク選別装置の大型化を招き、安易に採用することができない。
【発明の開示】
【発明が解決しようとする課題】
【０００５】
本発明の第１の目的は、簡単な構造によりディスクの選別種類を増加できるディスク選別装置を得ることを目的とする。
本発明の第２の目的は、ディスク選別装置の大型化を招くことなくディスクの選別種類を増加できるディスクの選別装置を得ることである。
本発明の第３の目的は、ディスクの選別種類が多く、かつ、安価なディスクの選別装置を得ることである。
【課題を解決するための手段】
【０００６】
この目的を達成するため、本発明は以下のように構成されている。
本体に一体的に形成され、かつ、ディスクが転がる通常ガイドレールと、前記通常ガイドレールに対しほぼ直角をなす通常もたれガイドと、前記通常ガイドレールに対し所定距離離れて配置されたゲージ装置と、前記ゲージ装置に配置され、ディスクのガイド位置と非ガイド位置に移動可能なキャンセル片と、前記キャンセル片の移動装置を含むディスクの選別装置において、前記通常ガイドレールに対し並行する小径用ガイドレール、及び、前記小径用ガイドレールに対しほぼ直角をなす小径もたれガイドを有する小径用ガイドを前記ガイドレールにあてがって前記本体に着脱可能に取り付けたことを特徴とするディスクの選別装置である。
請求項２の発明は、請求項１のディスクの選別装置において、前記小径用ガイドが前記本体にワンタッチ着脱手段により取り付けられていることを特徴とする。
請求項３の発明は、請求項１のディスクの選別装置において、前記ゲージ装置の下流にディスクセンサを配置し、前記小径用ガイドレールは前記ディスクセンサに相対する位置まで伸びていることを特徴とする。
【発明の効果】
【０００７】
本発明において、小径用ガイドが装着された場合、真正ディスクは、その上端下面が通常ガイドレールから所定距離離れたゲージ装置にもたれ、かつ、下端下面が通常もたれガイドにもたれつつ周面が通常ガイドレール上を転動し、ゲージ装置を通過する。
小径の偽ディスクは、上端下面がゲージ装置に案内されないので、ゲージ装置部において通常ガイドレールから落下する。
大径の偽ディスクは、通常ガイドレールの前位に配置されている投入口を通過できない。
極小径ディスクを使用する場合、前記通常ガイドレールに対し並行する小径用ガイドレール、及び、前記小径用ガイドレールに対しほぼ直角をなす小径もたれガイドを有する小径用ガイドを前記通常ガイドレールにあてがって前記本体に装着する。
これにより、真正ディスクである極小径ディスクはその上端下面がゲージ装置にもたれ、下端下面が極小径もたれガイドにもたれ、さらに、周面は極小径ガイドレール上を転動し、ゲージ装置を通過する。
よって、極小径ガイドレールとゲージ装置との間の間隔は通常ガイドレールとの間隔よりも狭いので、通常のディスクよりも小径の極小径ディスクを選別することができる。
また、極小径ガイドレールは、通常ガイドレールに沿わせて装着するだけなので、ディスクサイズ変更の作業が容易である利点を有する。
請求項２の発明は、請求項１のディスクの選別装置において、前記極小径用ガイドが前記本体にワンタッチ着脱手段により取り付けられていることを特徴とする。
この構成によれば、極小径ガイドはワンタッチ着脱手段によって本体に着脱可能である。
よって、極小径ガイドレールの着脱が容易であるため、使用ディスクサイズの変更に容易に対応できる利点がある。
請求項３の発明は、請求項１のディスクの選別装置において、前記ゲージ装置の下流にディスクセンサを配置し、前記極小径ガイドレールは前記ディスクセンサに相対する位置まで伸びていることを特徴とする。
この構成において、極小径ガイドレールを装着した場合であっても、ディスクはゲージ装置を通過し、かつ、ディスクセンサを通過した後、極小径ガイドレールから通常ガイドレール上に落下する。
よって、ディスクは極小径ガイドレール上を転がってディスクセンサを通過するのでその姿勢が安定し、もって、ディスクの通過を確実に検知することができる利点がある。
【発明を実施するための最良の形態】
【０００８】
本発明の最良の形態は、本体に一体的に形成され、かつ、ディスクが転がるガイドレールと、前記ガイドレールに対しほぼ直角をなすもたれガイドと、前記ガイドレールに対し所定距離離れて配置されたゲージ装置と、前記ゲージ装置に配置され、ディスクのガイド位置と非ガイド位置に移動可能なキャンセル片と、前記キャンセル片の移動装置を含むディスクの選別装置において、前記通常ガイドレールに対し並行する極小径ガイドレール、及び、前記極小径ガイドレールに対しほぼ直角をなす極小径もたれガイドを有する極小径用ガイドを前記通常ガイドレールにあてがって前記本体にワンタッチ着脱手段によって着脱可能に取り付け、かつ、前記ゲージ装置の下流にディスクセンサを配置し、前記極小径ガイドレールは前記ディスクセンサに相対する位置まで伸びていることを特徴とするディスクの選別装置である。
【実施例】
【０００９】
図１は、本発明の実施例の正面図である。
図２は、本発明の実施例の正面上方からの分解斜視図である。
図３は、本発明の実施例の背面上方からの分解斜視図である。
図４は、本発明の実施例の背面図である。
図５は、本発明の実施例のドアーを取り外した正面図である。
図６は、図１におけるＡ−Ａ断面図である。
図７は、図１におけるＢ−Ｂ断面図である。
図８は、図１におけるＣ―Ｃ断面図である。
【００１０】
本実施例のディスク選別装置100を説明する。
ディスク選別装置100は、図1に示すように投入口102に投入されたディスクＤをゲージ装置150で選別し、真正ディスクを出口103から排出し、偽ディスク及び受け入れしないディスクをキャンセル部104から排出する。
本実施例にかかるディスクの選別装置100は、図5に示すように、通常ガイドレール140、ゲージ装置150（大径ゲージ160、小径ゲージ170）、キャンセル片180(図7参照)及びキャンセル片180の移動装置175(図4参照)及び小径用ガイド300を含んでいる。
【００１１】
本体120は、その左端取り付け部120Lと右端取り付け部120Rがゲーム機内の垂直壁(図示せず)に固定されている。
図5に示すように、本体120は逆Ｊ形であって耐摩耗性の樹脂により一体成型されている。
図5及び7に示すように、本体120には垂直面121A、湾曲面121B及び通常もたれガイド121Cを含むディスク案内面121が形成されている。
【００１２】
垂直面121Aは、鉛直方向に伸びている。
通常もたれガイド121Cは、図7に示すように、水平線に対し約70度傾いている。
湾曲面121Bは、垂直面121Aと通常もたれガイド121Cを緩やかなカーブで接続し、かつ、通常もたれガイド121C同様に水平線に対し約70度傾いている。
【００１３】
垂直面121Aの下端と湾曲面121Bの上端は、滑らかな曲面によって接続されている。
ディスク案内面121は、ディスクDを投入口102から出口103へ案内する機能を有している。
したがって、ディスクDがスムースに移動するよう、摩擦抵抗を減少するため、ディスク案内面121に溝を形成することができる。
【００１４】
次に通常ガイドレール140を説明する。
通常ガイドレール140は、ディスク案内面121に対し直角をなし、かつ、大部分において幅がディスクDの厚みより僅かに広く形成されている。
通常ガイドレール140は、通常垂直ガイドレール140A、弧状通常ガイド140B(図5において鎖線示)及び通常傾斜ガイドレール140Cを含んでいる。
【００１５】
通常傾斜ガイドレール140Cは、通常もたれガイド121Cに相対位置し、本体120と一体に成形され、図5において右下がりに傾斜し、ディスクDが重力で転がり落ちることができる。
通常弧状ガイド140Bは、弧状ガイドレール140Eを有する三日月形であって、ステンレス等の金属で作られ、ワンタッチ取付装置141によって湾曲面121Bに相対して本体120に固定されている。
弧状ガイドレール140Eは通常傾斜ガイドレール140Cに実質的に連続している。
【００１６】
ワンタッチ取付装置141は、フック141A及び141Bである。
フック141A、141Bは、本体120と一体に弾性を有する樹脂にて形成され、弾性変形可能であり、フック形をしている。
フック141A、141Bは、通常孤状ガイド140Bと同一形状の装着凹部141Cの相対する端部に形成されている。
よって、通常孤状ガイド140Bは装着凹部141Cに密に嵌り合う。
フック141A、141Bは、通常孤状ガイド140Bを装着凹部141Cに挿入する場合、通常孤状ガイド140Bによって押し広げられ、装着凹部141Cに挿入された場合、自己の弾性力により復帰し、通常孤状ガイド140Bの上面をフックして固定する。
【００１７】
通常垂直ガイドレール140Aは、本体120と一体に成形され、垂直面121Aに相対位置し、通常弧状ガイドレール140Eに実質的に連続している。
通常弧状ガイドレール140Bは、通常傾斜ガイドレール140C及び通常垂直ガイドレール140Aと一体に樹脂にて成形してもよい。
この場合、少なくとも通常弧状ガイド140Bの通常弧状ガイドレール140Eに金属板等の耐摩耗性を有する材料で作った磨耗防止板を貼り付ける必要がある。
【００１８】
ディスクDは通常垂直ガイドレール140Aに沿って垂直に落下した後、通常弧状ガイド140Bの弧状ガイドレール140Eで、案内されて図5において右方向に方向転換される。
【００１９】
次に図3を参照してドアー130を説明する。
ドアー130にドアー案内面131が形成されている。
ドアー案内面131は、前記垂直面121A、湾曲面121B及び通常もたれガイド121Cに相対するドアー垂直面131A、ドアー湾曲面131B、ドアー傾斜面131C及びドアー垂直ガイド131Dを有している。
ドアー130は、その上端のオメガ字状の軸受132(図7参照)を本体120の上部に形成された軸122に係止し、ピボット運動可能に取り付けられている。
【００２０】
図3に示すように、ドアー垂直面131A及びドアー湾曲面131Bには、垂直面121A及び湾曲面121Bとの距離が異なる第１案内面137Aと第２案内面137Bが形成されている。
【００２１】
第１案内面137AはJ形であって、通常垂直ガイドレール140A及び湾曲通常ガイドレール140Bに沿うよう形成され、垂直面121A及び湾曲面121Bとの距離は、ディスクDの厚みよりも僅かに大きい。
第２案内面137Bは、直線状であって、通常垂直ガイドレール140A及び湾曲通常ガイドレール140Bから遠い位置に形成され、垂直面121A及び湾曲面121Bに対し、第１案内面137Aよりも遠い位置に配置される。
【００２２】
図7に示すように、キャンセルボード133は、その上端の装着孔135にドアー130から突出するフック134を挿入することによってドアー130の上端部に固定され、ドアー130と一体にピボット運動可能である。
キャンセルボード133は、断面が横V形である。
【００２３】
キャンセルボード133の上端部と本体120との間に配置した圧縮スプリング135Aによって、キャンセルボード133及びドアー130は、反時計方向に回転力を与えられ、ドアー130が本体120に近づくよう付勢されている。
ドアー130と本体120との間隔、すなわち、垂直面121Aとドアー垂直面131A、湾曲面121Bとドアー湾曲面131B及び通常もたれガイド121Cとドアー傾斜面131Cとの間隔は、ドアー130にねじ込んだスクリュウ136(図3参照)の先端を通常弧状ガイドレール140Bの側面に突き当てることにより、ディスクDの厚みよりも僅かに広くなるように設定される。
【００２４】
次にゲージ装置150を説明する。
ゲージ装置150は、図5及び図7に示すように、ほぼ台形状のゲージ板151と、小径ゲージ170を含んでいる。
ゲージ板151には、ガイド面152が形成されている。
ガイド面152は、左側面の垂直ガイド152Aと下面の傾斜ガイド152C、及び垂直ガイド152Aと傾斜ガイド152Cとを接続する湾曲ガイド152Bが形成されている。
【００２５】
垂直方向に伸びる垂直ガイド152Aは通常垂直ガイドレール140A及びドアー垂直ガイド131Dに相対し、それらに対しディスクDの直径よりも僅かに離れている。
湾曲ガイド152Bは、通常弧状ガイドレール140Bに相対し、それらに対しディスクDの直径よりも僅かに離れている。
傾斜して下方に伸びる傾斜ガイド152Cは、通常傾斜ガイドレール140Cに相対し、かつ、平行に配置されている。
【００２６】
受け入れを許容するディスクDがスムースに通過できるよう、通常傾斜ガイドレール140Cと傾斜ガイド152Cの距離は、ディスクDの直径よりも僅かに離して配置されている。
この離した距離が、ゲージ板151のその位置でのディスクDの受け入れ許容最大径である。
【００２７】
すなわち、傾斜ガイド152Cは大径ゲージ160を兼ねている。
なお、本実施例において、この受け入れ許容最大径は小径ディスクに適応するゲージ板151の位置と、大径ディスクに適応するゲージ板151の位置においてそれぞれ設定される。
【００２８】
次に、図2及び図5を参照してゲージ板151の取り付け装置153を説明する。
ゲージ板151は、取り付け装置153により本体120の上部に取り付けられている。
取り付け装置153は、本体120の取り付け部154とゲージ装置150の取り付け部155を含んでいる。
ゲージ装置150は、本体取り付け部154にゲージ取り付け部155を係止することにより、本体120にワンタッチで着脱可能に取り付けることが出来る。
【００２９】
本体取り付け部154は、左右一対配置されているが、同一構造であるので、同一符号を付してある。
本体取り付け部154は、先端が円錐形であって基部が円柱状である第１保持ピン156Aが本体120に固定されている。
同様に形成した第２保持ピン156Bが通常傾斜ガイドレール140Cに対し45度傾斜する直線L上に所定の間隔で配置されている。
【００３０】
ゲージ取り付け部155は、前記第１保持ピン156A及び第２保持ピン156Bに相対し、ゲージ板151に形成した第１嵌合孔157Aと第２嵌合孔157Ｂ及び同一線上に配置された第３嵌合孔157C及び保持体158とを含んでいる。
第１から第３嵌合孔157A、157Ｂ、157Cは前記第１保持ピン156A及び第２保持ピン156Bの円柱部に密に填り合う直径に形成されている。
【００３１】
保持体158は、ゲージ板151と一体に片持ち状態に形成された保持片159である。
保持片159の先端は、第２嵌合孔157Ｂに挿入された第１保持ピン156A又は第２保持ピン156Bの周面に接触し、その弾力により押圧してゲージ板151の位置を保持する。
また、保持ピン156A及び156Bの側面に形成した溝156Cに保持片159の先端を係止し、ゲージ板151の脱落を防止する。
【００３２】
保持体158は、ゲージ板151をピン156A及び156Bに保持する機能を有していればよく、他の構造を採用することができる。
図5に示すように第１保持ピン156Aを第１嵌合孔157A、第２保持ピン156Bを第２嵌合孔157Ｂに嵌合した場合、ゲージ板151は通常ガイドレール140との距離が近くなるため、小径ディスクの選別位置になる。
【００３３】
第１保持ピン156Aを第２嵌合孔157Ｂ、第２保持ピン156Bを第３嵌合孔157Cに嵌合した場合、ゲージ板151は通常ガイドレール140との距離が遠くなるので、大径ディスクの選別位置に取り付けられる。
すなわち、ゲージ板151は直線Lに沿って通常垂直ガイドレール140A、通常弧状ガイドレール140B及び通常傾斜ガイドレール140Cに対し、それぞれ同一量接近し、又は、離れる。
【００３４】
したがって、ゲージ板151の位置を変更した場合、ディスク通路162の幅(ディスクの直径方向)は、垂直部通路162A、湾曲部通路162B及び傾斜部通路162C全て同一に調整される。
取り付け装置153は、ゲージ装置150を本体120に取り付ける機能を有していればよい。
【００３５】
さらに、取り付け装置153は、ゲージ装置150の位置を選別対象ディスクに適合するよう変更する機能を有していることが好ましい。
したがって、取り付け装置153は、ゲージ装置150を無段階に位置調整可能に構成することができる。
【００３６】
次に図5を参照してディスク通路162を説明する。
ディスク通路162は、大径ディスク及び小径ディスクを用いる場合、本体120のディスク案内面121、ドアー130のドアー案内面131、通常ガイドレール140及びゲージ板151のガイド面152で囲まれた通路である。
極小径ディスクを用いる場合、ディスク通路162はディスク案内面121、ドアー130のドアー案内面131、後述の極小径ガイド300及びゲージ板151のガイド面152で囲まれた通路である。
ディスク通路162は、図2及び図5に示すよう逆Ｊ形であり、投入口102からほぼ真下に伸びる垂直部通路162A、湾曲部通路162B及び右下がりの傾斜部通路162Cを含んでいる。
【００３７】
次に小径ゲージ170を説明する。
小径ゲージ170は傾斜部通路162Cに面して配置されている。
通常もたれガイド121Cの上方に、通常傾斜ガイドレール140C及び傾斜ガイド152Cに沿って矩形の窓171が形成されている。
図3に示すように、本体120の裏面の窓171の両側に、軸受172A及び172Bが固定されている。
図8に示すように、軸受172Aと172Bには、それぞれ、通常もたれガイド121Cに対し直角方向に平行に伸びる大径ベアリング溝173A、小径ベアリング溝173Ｂが形成してある。
【００３８】
小径ゲージ170は、板状であって両端部に円柱状の枢軸174(図3参照)が形成してある。
枢軸174は、通常傾斜ガイドレール140C及び傾斜ガイド152Cに平行に、かつ図3に図示するように窓171の横に配置されている。
ここで、横とは、窓171を含む平面に対し直交する方向である。
小径ゲージ170の先端170Tは、枢軸174を中心とする円弧に形成されている。
この円弧により、小径ゲージ170を微調整装置186(図8参照)で位置調整しても、その先端170Tは、枢軸174から同一距離になるため、真正ディスクDを同一姿勢で案内することができる。
【００３９】
枢軸174を小径ベアリング溝173Bに挿入し、押さえ板(図示せず)で保持してピボット運動可能に構成してある。
これにより、枢軸174は通常傾斜ガイドレール140C及び大径ゲージ160である傾斜ガイド152Cと平行に配置されている。
小径ゲージ170の先端170Tは、窓171内において、通常もたれガイド121Cを含む平面内の傾斜ガイド152Cの近く配置されている。
【００４０】
先端170Tの下縁170Uの位置は、受け入れを許容する最小ディスクの直径分、換言すると、受け入れを許容しない小径のディスクの直径分、通常傾斜ガイドレール140Cから離れて配置される。
この位置が、小径ゲージ170(キャンセル片180)のガイド位置である。
したがって、小径ゲージ170の先端170Tは大径ゲージ160の側方であって、直ぐ近くに配置されている。
【００４１】
真正ディスクDが通常傾斜ガイドレール140C上を転がるとき、その下端部側面は通常もたれガイド121Cに支えられ、かつ、上端部側面は小径ゲージ170の先端170Tに支えられて出口103に達することができる。
ディスクDの直径が受け入れを許容しない小径の場合、ディスクDの上端部側面は先端170Tに支えられないので、図7に一点鎖線で示すように自重によって窓171内に倒れる。
結果として、ディスクDは、通常傾斜ガイドレール140Cから外れてキャンセル部104で落下する。
小径ゲージ170は、キャンセル片180を兼用している。
【００４２】
図4及び5に示すように、キャンセル片180のディスクの下流側端部からアーム181が突出し、その先端は、ストッパ182であって、窓171の下流端部の通常傾斜ガイドレール140Cに近接した位置で傾斜部通路162Cに進退する。
すなわち、キャンセル片180が非ガイド位置に移動されたとき、ストッパ182は傾斜部通路162Cに突出してディスクDの移動を強制的に阻止し、キャンセル部104においてキャンセルする。
換言すれば、通常傾斜ガイドレール140C上を転動するディスクDは、ストッパ182に進行を阻止され、通常傾斜ガイドレール140Cから落下する。
【００４３】
また、ストッパ182は、キャンセル片180がガイド位置にある通常時は、先端が窓171内に位置して傾斜部通路162Cから退避している。
キャンセル片180は、ゲージ装置150の位置において真正ディスクDを通常傾斜ガイドレール140C及び後述の極小径ガイド300から外す機能を有していればよい。
ストッパ182は、必要条件ではないが、備えていることにより、ディスクDのキャンセルが確実になり、より好ましい。
【００４４】
次に小径ゲージ170の移動装置175を図4及び8を参照して説明する。
移動装置175は、アクチュエータ183とリンク機構184を含んでいる。
リンク機構184は、スライド板185とリンク186を含んでいる。
図4に示すように、スライド板185は、軸受172Aに沿って通常傾斜ガイドレール140Cに対し直交方向にスライド可能に支持されている。
【００４５】
図8に示すように、スライド板185にベアリング溝173Bと平行に第１ガイド溝187A及び第２ガイド溝187Bが形成され、小径ゲージ170の端面のピン188が小径ディスクに対応する第２ガイド溝187Bに挿入されている。
図3及び図5に示すように、アクチュエータ183は、本体120に固定されたソレノイド189、アーマチャー191及びアーマチャー191のリターンスプリング191を含んでいる。
アーマチャー191の先端にリンク186が固定され、リンク186の先端にスライド板185が固定されている。
【００４６】
したがって、ソレノイド189が励磁されない場合、アーマチャー191はリターンスプリング191によって突出されているので、リンク186を介してスライド板185が上方に引き上げられる。
これにより、ガイド溝187B及びピン188を介して小径ゲージ170は、図8において時計方向に移動され、小径ゲージ170の上面が本体120のストッパ(図示せず)に突き当たって非ガイド位置に保持される。
【００４７】
結果として、真正ディスクDであっても、その上端部側面は小径ゲージ170によって支えられない。
したがって、真正ディスクDは窓171内に倒れ、そして、その下端周面は通常傾斜ガイドレール140Cから外れて自重によってキャンセル部104において落下する。
【００４８】
ソレノイド189が励磁されたとき、リンク機構184を介して小径ゲージ170は図7において反時計方向に回動され、スライド板185の下面185Uが調整スクリュウ193の先端に突き当たり、通常傾斜ガイドレール140Cから所定距離離れたガイド位置に移動され、保持される。
【００４９】
したがって、真正ディスクDは、その上端部側面が小径ゲージ170の先端170Tに支えられつつ出口103へ転がる。
受け入れを許容されない小径のディスクは、その上端部側面が先端170Tに支えられないので、自重で窓171内に倒れ、通常傾斜ガイドレール140Cから外れて落下する。
受け入れを許容されない大径のディスクは、通常傾斜ガイドレール140Cと傾斜ガイド152Cとの間に詰まって転動することができない。
【００５０】
移動装置175は、キャンセル片180をガイド位置と非ガイド位置に移動できる機能を有していればよい。
キャンセルボード133は、ドアー130が図７において時計方向に動かされたとき、窓171から傾斜部通路162Cに進出し、その通路にジャムしているディスクDを押して通常傾斜ガイドレール140C若しくは極小径傾斜ガイドレール300Cから落下させ、キャンセルする。
このドアー130の移動は、ゲーム機に装着されたキャンセルレバーの操作に連動するようリンクが構成される。
【００５１】
次に小径ゲージ170の位置微調整装置194を説明する。
位置微調整装置194は、通常傾斜ガイドレール140Cと小径ゲージ170の下縁170Uとの距離を微調整する機能を有している。
すなわち、図8に示すように、スライド板185の下面185Uに本体120の下面にねじ込んだ位置調整スクリュウ193の先端が突き当たるように配置されている。
したがって、位置調整スクリュウ193がストッパである。
【００５２】
スライド板185は、リターンスプリング191によって位置調整スクリュウ193側に付勢され、許容誤差によって小径ゲージ170が遊動しないようにしている。
したがって、小径ゲージ170の先端170Tの下端170Uの位置は、位置調整スクリュウ193の先端位置によって決定される。
換言すれば、位置調整スクリュウ193のねじ込み量を変更することにより通常傾斜ガイドレール140C若しくは後述の極小径傾斜ガイドレール300Cと先端170Tとの距離を微調整することができる。
位置調整スクリュウ193は、ロックナット(図示せず)によりロックされる。
【００５３】
次に小径ゲージ170のゲージ位置調整装置195を説明する。
これは、ゲージ板151が取り付け装置153によって大きく位置調整されたとき、その位置に適合するよう小径ゲージ170の位置を変更するために用いられる。
小径ゲージ位置調整装置195は、図8に示すベアリング溝173A及び173Bである。
【００５４】
すなわち、枢軸174を第１ベアリング溝173Aに挿入替えし、かつ、位置調整スクリュウ193によってスライド板185の位置を変更し、新たなディスクサイズに適合する位置に小径ゲージ170をセットする。
なお、ディスクサイズが一種類の場合、位置微調整装置194のみであってもよい。
大径ディスクと小径ディスクを選択して用いる場合、小径ゲージの位置微調整装置194と小径ゲージ位置調整装置195の両方をゲージ位置調整装置として装着することが好ましい。
【００５５】
次にディスクDの検知センサ196を図3及び図5を参照して説明する。
検知センサ196は、ゲージ板151の出口103側の端面から通常傾斜ガイドレール140Cに沿って伸びるステー197に固定されている。
すなわち、検知センサ196はディスクDの移動方向において、ゲージ装置150よりも下流に配置されている。
検知センサ196は、一対のアームが傾斜部通路162Cを挟んで投光部と受光部が対向している光電式である。
【００５６】
検知センサ196は、ディスクDが傾斜部通路162Cを転がるとき、ディスクDの上端部が光軸を遮ることを検知することによりディスクDを検知する。
検知センサ196は、前記構造から明らかなように、ゲージ板151と一体化され、一緒に位置調整される。
また、ディスクDが通常傾斜ガイドレール140C又は極小径ガイド300上を転動している最中に検知センサ196の光軸を遮るよう設定してある。
【００５７】
この構成により、ゲージ板151は線Lに沿って位置調整されるため(図5参照)、ディスクサイズが変更された場合、検知センサ196は通常傾斜ガイドレール140C若しくは極小径ガイド300に対し接近或いは離れるとともに、通常垂直ガイドレール140Aに対しても接近或いは離れる。
結果として、ディスクサイズが変わっても同一タイミングでディスクDは光軸を横切るので、検知センサ196の位置を個別に位置調整したり、検知タイミングの変更をしなくともよい利点がある。
【００５８】
次に出口103から排出されたディスクDのガイド樋202を説明する。
ガイド樋202が装着された場合、ディスクDが落下するガイド樋202の下流端203が実質的に出口になる。
ガイド樋202は、ディスクDが転がる底壁204、倒れないよう案内する外側壁205及び底壁204から脱落しないよう案内する内側壁206により断面J形の溝を形成すると共に傾斜部通路162Cの延長上から緩やかに前方にカーブし、約90度方向転換する弧状に形成されている。
底壁204はディスクDが所定の速度で転動するよう所定の下向き角度で傾斜している。
【００５９】
ガイド樋202は、取り付け装置209によって本体120の側面に固定されている。
取り付け装置209は、本体120の端面の取付溝210とガイド樋202の端部に形成したフランジ211を含んでいる。
フランジ211は、ガイド樋202の出口103側端面に形成され、取付溝210に挿入される。
フランジ211が取付溝210に挿入された場合、フランジ210の側壁に形成された係止孔(図示せず)に本体120から突出する突起(図示せず)が突入し、容易に脱落せず、かつ、着脱可能に取り付けられている。
【００６０】
次に、本発明に係る極小径ガイド300図5及び7を参照して説明する。
極小径ガイド300は通常ガイドレール140に沿って配置され、前記小径ディスクよりも小径のディスクを案内する機能を有する。
極小径ガイド300は、極小径弧状ガイドレール300B、極小径傾斜ガイドレール300C及び極小径もたれガイド304を含んでいる。
極小径ガイド300は、湾曲部通路162B及び傾斜部通路162Cを画定する。
換言すれば、極小径ガイド300は弧状ガイドレール140E及び傾斜ガイドレール140Cに相当する部分を構成する。
詳述すれば、弧状ガイドレール140Eに相当する極小径弧状ガイドレール300B及び極小径傾斜ガイドレール300Cを含み、それらは一体成形されている。
極小径弧状ガイドレール300Bは、通常弧状ガイドレール140Eと同様の形状に成形され、装着凹部141Cに嵌め込んだ場合、係止フック141A及び141Bにより係止され、保持される。
しかし、極小径弧状ガイドレール300Bは通常弧状ガイドレール140Eよりも内側(湾曲ガイド152B側)に位置し、小さい曲率に形成されている。
極小径弧状ガイドレール300Bの上端部には垂直ガイドレール140Aから滑らかに接続するための接続ガイド300Fが形成されている。
極小径傾斜ガイドレール300Cは、通常ガイドレール140の傾斜部140Cにあてがわれ、通常傾斜ガイドレール140Cに対し平行に伸びている。
極小径傾斜ガイドレール300Cを通常傾斜ガイドレール140Cに沿わせるため、フック306が形成されている。
フック306は、図7に示すように、通常傾斜ガイドレール140Cを密に挟み込んで極小径傾斜ガイドレール300Cを通常傾斜ガイドレール140Cに一体化させる機能を有する。
よって、フック306は複数箇所に設けることができる。
また、極小径傾斜ガイドレール300Cは検知センサ196に相対する位置よりも下流まで伸びている。
換言すれば、ディスクDが極小径傾斜ガイドレール300C上を転動する過程において検知センサ196によって検知された後、通常傾斜ガイドレール140C上に落下する。
これにより、安定した状態で転動している最中のディスクDを検知できるので、検知ミスを生じることがない利点を有する。
【００６１】
次に極小径もたれガイド304を説明する。
極小径もたれガイド304は、極小径傾斜ガイドレール300C上を転動するディスクDの下面を支え、真正ディスクDが極小径傾斜ガイドレール300Cから落下しないようにする機能を有する。
図7に示すように、極小径もたれガイド304は開口170に相対して形成され、極小径傾斜ガイドレール300Cに対しほぼ直角をなして所定量突出している。
換言すれば、極小径もたれガイド304は、通常もたれガイド121Cと同一平面内に位置している。
【００６２】
次に本実施例の作用を説明する。
まず、ディスクDが通常ガイドレール140を転動するケースを説明する。
ゲージ板151は、図5に示すように小径ディスクに適応するよう取り付けられている。
すなわち、第１保持ピン156Aは第１嵌合孔157Aに、第２保持ピン156Bは第２嵌合孔157Ｂに挿入されている。
まず、小径ディスクDの受け入れ態勢にあり、かつ、真正の小径ディスクDを投入口102に投入したケースを説明する。
【００６３】
すなわち、ソレノイド189が励磁されてアーマチャー191が引き下げられ、リンク186を介してスライド板185が同方向へ移動されて位置調整スクリュウ193の頂部にストップされている。
小径ゲージ170の先端170Tが図7に示すように真正ディスクDの上端部側面を案内するガイド位置に移動されている。
【００６４】
ディスクDは垂直面121A、ドアー垂直面131A、通常垂直ガイドレール140A及び垂直ガイド152Aに案内されつつ落下する。
ディスクDはこの途上で湾曲面121Bとドアー湾曲面131Bとにガイドされて水平線に対し約70傾けられた後、通常弧状ガイドレール140B及び通常傾斜ガイドレール140C上を転がって出口103からガイド樋202によって案内され、下流端203から次の装置、例えばコインホッパに供給される。
【００６５】
ディスクDは、垂直部通路162A及び湾曲部通路162Bにおいて、その上下端部が垂直面121Aと湾曲面121Bとに接触し、中央部がドアー案内面131に近づく。
換言すると、ディスクDの中央部は本体120から離れる。
しかし、ディスクDの直径部は第２案内面137B側に位置しているため上下端が垂直面121Aと湾曲面121Bに接触せず、かつ、第１案内面137Aと案内面121との間隔はディスクDの厚みよりも僅かに大きい程度である。
結果、ディスクDは振動せずにスムースに移動できる。
【００６６】
小径ディスクDが使用される場合、湾曲部通路162Bの厚みが厚くなりすぎるため、ディスクDが振動しつつ移動したり、ディスクが重なったりして、スムースに進行しないことがある。
しかし、本発明の場合、図6に示すように、小径のディスクDは、垂直面121A及び湾曲面121Bとの距離が小さい第１案内面137Aに案内されるので、ディスクが振動しつつ移動したり、二枚重なることがなく、スムースに垂直部通路162A及び湾曲部通路162Bを移動することができる。
また、ディスクDの上端部側面は小径ゲージ170の先端170Tによって支えられるため、通常傾斜ガイドレール140Cから落下しない。
【００６７】
ゲージ装置150を通過したディスクDは、検知センサ196によって検知された後、出口103からガイド樋202に達し、遠心力により外側面を外側壁205によって案内されつつ底壁204上を転動して下流端203から図示しないコインホッパに落下する。
【００６８】
次に真正ディスクDよりも大径のディスクが投入されたケースを説明する。
垂直部通路162A及び湾曲部通路162Bを通過した大径ディスクDは、通常傾斜ガイドレール140Cと傾斜ガイド152Cにより挟まれて転がることができない、すなわち、傾斜部通路162Cで停止される。
この場合、ドアー130及びキャンセルボード133を軸122を支点に時計方向へ回動させることにより、キャンセルボード133の下端部で大径ディスクDを横方向に押しやり、通常傾斜ガイドレール140Cから外して落下させ、キャンセルする。
【００６９】
受け入れ許容範囲よりも小さい小径ディスクの場合、通常傾斜ガイドレール140Cを転がるとき、その上端部側面が小径ゲージ170によって支えられないので窓171内に倒れる。
結果としてディスクDは通常傾斜ガイドレール140Cから外れて落下し、キャンセルされる。
【００７０】
さらに、ディスクDを受け入れしないとき、ソレノイド189が消磁され、リターンスプリング192によってアーマチャー191、リンク186及びスライド板185が押し上げられ、小径ゲージ170が非ガイド位置にある。
この状態において投入された真正ディスクDは、その上端部側面を小径ゲージ170の先端170Tによって案内されないので窓171内に倒れて通常傾斜ガイドレール140Cから落下してキャンセルされる。
【００７１】
次に極小径ガイド300上をディスクDが転動する場合を説明する。
まず極小径ガイド300を本体120に取り付ける。
すなわち、通常弧状ガイド140Bを装着凹部141Cから係止フック141A、141Bを撓まして取り出す。
次に、極小径ガイド300の極小径弧状ガイドレール300Bを装着凹部141Cに嵌め込む。
極小径弧状ガイドレール300Bを140Bに嵌め込む途中で係止フック141A、141Bを外方へ撓ませ、極小径弧状ガイドレール300Bが装着凹部141Cに嵌り合った状態において係止フック141A、141Bが自己の弾発力によって復帰する。
よって、極小径弧状ガイドレール300Bは装着凹部141Cに保持される。
また、この過程でフック306を通常傾斜ガイドレール140Cに密に勘合するので極小径傾斜ガイドレール300Cは通常傾斜ガイドレール140Cに密に沿わせられる。
【００７２】
次に、極小径ガイド300を用いた場合の真正若しくは偽ディスクの選別作用を説明する。
ゲージ板151は、図5に示すように小径ディスクに適応するよう取り付けられている。
よって、真正の極小径ディスクDが投入口102に投入された場合、前述同様、ディスクDは垂直面121A、ドアー垂直面131A、通常垂直ガイドレール140A及び垂直ガイド152Aに案内されつつ落下する。
真正ディスクDは、この途上で接続ガイド300F、湾曲面121Bとドアー湾曲面131Bとにガイドされて水平線に対し約70傾けられた後、極小径弧状ガイドレール300B及び極小径傾斜ガイドレール300C上を転がって出口103からガイド樋202に達し、それによって案内された後、下流端203から次の装置、例えばコインホッパに供給される。
【００７３】
真正極小径ディスクDが投入された場合、前述同様ディスクDは垂直部通路162A及び湾曲部通路162Bを移動し、傾斜部通路162Cに達する。
傾斜部通路162Cにおいて、ディスクDの下側側面は極小径もたれガイド304に支えられ、上端部側面は小径ゲージ170の先端170Tによって支えられるため、極小径傾斜ガイドレール300Cから落下しない。
ゲージ装置150を通過したディスクDは、検知センサ196によって検知された後、通常傾斜ガイドレール140C上に落下した後、出口103からガイド樋202に達し、遠心力により外側面を外側壁205によって案内されつつ底壁204上を転動して下流端203から図示しないコインホッパに落下する。
【００７４】
次に真正極小径ディスクDよりも大径のディスクDが投入されたケースを説明する。
垂直部通路162A及び湾曲部通路162Bを通過した大径ディスクDは、前述同様、極小径傾斜ガイドレール300Cと傾斜ガイド152Cにより挟まれて転がることができない、すなわち、傾斜部通路162Cで停止される。
この場合、ドアー130及びキャンセルボード133を軸122を支点に図7において時計方向に回動させることにより、キャンセルボード133の下端部で大径ディスクDを横方向に押しやり、極小径傾斜ガイドレール300Cから外して落下させ、キャンセルする。
【００７５】
受け入れ許容範囲よりも小さい小径ディスクDの場合、極小径傾斜ガイドレール300Cを転がるとき、前述同様、その上端部側面が小径ゲージ170によって支えられないので窓171内に倒れる。
結果としてディスクDは極小径傾斜ガイドレール300Cから外れて落下し、キャンセルされる。
【００７６】
さらに、ディスクDを受け入れしないとき、前述同様、ソレノイド189が消磁され、リターンスプリング192によってアーマチャー191、リンク186及びスライド板185が押し上げられ、小径ゲージ170が非ガイド位置にある。
この状態において投入された真正ディスクDは、その上端部側面を小径ゲージ170の先端170Tによって案内されないので窓171内に倒れて極小径傾斜ガイドレール300Cから落下してキャンセルされる。
【図面の簡単な説明】
【００７７】
【図１】図１は、本発明の実施例の正面図である。
【図２】図２は、本発明の実施例の正面上方からの分解斜視図である。
【図３】図３は、本発明の実施例の背面上方からの分解斜視図である。
【図４】図４は、本発明の実施例の背面図である。
【図５】図５は、本発明の実施例のドアーを取り外した正面図である。
【図６】図６は、図１におけるＡ−Ａ断面図である。
【図７】図７は、図１におけるＢ−Ｂ断面図である。
【図８】図８は、図1におけるＣ―Ｃ断面図である。
【符号の説明】
【００７８】
D  ディスク
120  本体
121C  通常もたれガイド
140  通常ガイドレール
141  ワンタッチ着脱手段
150  ゲージ装置
175  移動装置
180  キャンセル片
192  ディスクセンサ
300  極小径ガイド
300C  極小径傾斜ガイドレール
304  極小径もたれガイド
【図１】
2008077463.tif 000003
【図２】
2008077463.tif 000004
【図３】
2008077463.tif 000005
【図４】
2008077463.tif 000006
【図５】
2008077463.tif 000007
【図６】
2008077463.tif 000008
【図７】
2008077463.tif 000009
【図８】
2008077463.tif 000010